(57)【要約】  【課題】  画像形成に要する時間を短縮し、かつ、効率よく画質調整処理を行う画像形成装置、画像形成装置の制御プログラムを提供する。  【解決手段】  用紙残数取得部２８が画像形成処理が中断するまでの残りの画像形成数を特定し、特定された画像形成数が予め定めた数以下である場合に、画質調整実施判定部２６が、画像形成処理の実行中に、該画像形成処理で形成する画像の画質を調整する調整処理の実施を回避する。【選択図】        図３
2011005671.tif 000002
【特許請求の範囲】
【請求項１】
画像形成処理の開始前と該画像形成処理の実行中に、該画像形成処理で形成する画像の画質を調整する調整手段と、
前記画像形成処理が中断または完了するまでの残りの画像形成数を特定する特定手段と、
前記特定手段が特定した画像形成数が予め定めた数以下である場合に、前記調整手段による画質の調整を回避させる回避手段と
を具備することを特徴とする画像形成装置。
【請求項２】
前記特定手段は、給紙元が給紙可能な用紙数を特定する用紙数特定手段を具備し、該用紙数特定手段が特定した用紙数に基づいて前記画像形成処理が中断するまでの残りの画像形成数を特定することを特徴とする請求項１記載の画像形成装置。
【請求項３】
前記回避手段は、前記調整手段による画質の調整を回避させた場合に、前記画像形成処理が中断した際に、前記調整手段による画質の調整を実行させることを特徴とする請求項１記載の画像形成装置。
【請求項４】
前記回避手段は、前記特定手段が特定した画像形成数が、前記画像形成処理に用いる用紙の種別とカラーモードとの少なくとも一方を含む印刷条件に応じて定めた数以下である場合に、前記調整手段による画質の調整を回避させることを特徴とする請求項１記載の画像形成装置。
【請求項５】
画像形成処理の開始前と該画像形成処理の実行中に、該画像形成処理で形成する画像の画質を調整する調整処理と、
前記画像形成処理が中断または完了するまでの残りの画像形成数を特定する特定処理と、
前記特定処理で特定した画像形成数が予め定めた数以下である場合に、前記調整処理を回避させる回避処理と
をコンピュータに実行させることを特徴とする画像形成装置の制御プログラム。
【請求項６】
前記特定処理は、給紙元が給紙可能な用紙数を特定し、該特定した用紙数に基づいて前記画像形成処理が中断するまでの残りの画像形成数を特定することを特徴とする請求項５記載の画像形成装置の制御プログラム。
【請求項７】
前記回避処理は、前記調整処理を回避させた場合に、前記画像形成処理が中断した際に、前記調整処理を実行させることを特徴とする請求項５記載の画像形成装置の制御プログラム。
【請求項８】
前記回避処理は、前記特定処理で特定した画像形成数が、前記画像形成処理に用いる用紙の種別とカラーモードとの少なくとも一方を含む印刷条件に応じて定めた数以下である場合に、前記調整処理を回避させることを特徴とする請求項５記載の画像形成装置の制御プログラム。
【発明の詳細な説明】
【技術分野】
【０００１】
本発明は、画像形成装置、画像形成処理プログラムに関する。
【背景技術】
【０００２】
近年、情報処理装置等から送信された画像データに基づいて用紙等に画像を形成する画像形成装置が普及している。これらの画像形成装置には、高品質な出力を得るために、画質の調整等を自動で行うものも多い。
【０００３】
例えば、特許文献１に記載されている画像形成システムは、印刷処理を開始するときに、高品質な画像を出力するための回復動作を実行する。
【先行技術文献】
【特許文献】
【０００４】
【特許文献１】特開２００４‐０５４５２６号公報
【発明の概要】
【発明が解決しようとする課題】
【０００５】
本発明は、画像形成に要する時間を短縮し、かつ、効率よく画質調整処理を行う画像形成装置、画像形成装置の制御プログラムを提供することを目的とする。
【課題を解決するための手段】
【０００６】
上述した目的を達成するため、請求項１の発明は、画像形成処理の開始前と該画像形成処理の実行中に、該画像形成処理で形成する画像の画質を調整する調整手段と、前記画像形成処理が中断または完了するまでの残りの画像形成数を特定する特定手段と、前記特定手段が特定した画像形成数が予め定めた数以下である場合に、前記調整手段による画質の調整を回避させる回避手段とを具備することを特徴とする。
【０００７】
また、請求項２の発明は、請求項１の発明において、前記特定手段は、給紙元が給紙可能な用紙数を特定する用紙数特定手段を具備し、該用紙数特定手段が特定した用紙数に基づいて前記画像形成処理が中断するまでの残りの画像形成数を特定することを特徴とする。
【０００８】
また、請求項３の発明は、請求項１の発明において、前記回避手段は、前記調整手段による画質の調整を回避させた場合に、前記画像形成処理が中断した際に、前記調整手段による画質の調整を実行させることを特徴とする。
【０００９】
また、請求項４の発明は、請求項１の発明において、前記回避手段は、前記特定手段が特定した画像形成数が、前記画像形成処理に用いる用紙の種別とカラーモードとの少なくとも一方を含む印刷条件に応じて定めた数以下である場合に、前記調整手段による画質の調整を回避させることを特徴とする。
【００１０】
また、請求項５の発明は、画像形成処理の開始前と該画像形成処理の実行中に、該画像形成処理で形成する画像の画質を調整する調整処理と、前記画像形成処理が中断または完了するまでの残りの画像形成数を特定する特定処理と、前記特定処理で特定した画像形成数が予め定めた数以下である場合に、前記調整処理を回避させる回避処理とをコンピュータに実行させることを特徴とする。
【００１１】
また、請求項６の発明は、請求項５の発明において、前記特定処理は、給紙元が給紙可能な用紙数を特定し、該特定した用紙数に基づいて前記画像形成処理が中断するまでの残りの画像形成数を特定することを特徴とする。
【００１２】
また、請求項７の発明は、請求項５の発明において、前記回避処理は、前記調整処理を回避させた場合に、前記画像形成処理が中断した際に、前記調整処理を実行させることを特徴とする。
【００１３】
また、請求項８の発明は、請求項５の発明において、前記回避処理は、前記特定処理で特定した画像形成数が、前記画像形成処理に用いる用紙の種別とカラーモードとの少なくとも一方を含む印刷条件に応じて定めた数以下である場合に、前記調整処理を回避させることを特徴とする。
【発明の効果】
【００１４】
請求項１の発明によれば、本構成を採用しない場合と比較して、画像形成処理が完了するまでの時間を短縮することが可能となる。
【００１５】
また、請求項２の発明によれば、用紙切れによる画像形成処理の中断直前での画質調整処理を回避することが可能となる。
【００１６】
また、請求項３の発明によれば、用紙の補給と画質調整処理とを同時に進行させることができ、効率的である。
【００１７】
また、請求項４の発明によれば、画質の低下防止と画像形成処理が完了するまでの時間の短縮とを適切に選択することが可能となる。
【００１８】
また、請求項５の発明によれば、本構成を採用しない場合と比較して、画像形成処理が完了するまでの時間を短縮することが可能となる。
【００１９】
また、請求項６の発明によれば、用紙切れによる画像形成処理の中断直前での画質調整処理を回避することが可能となる。
【００２０】
また、請求項７の発明によれば、用紙の補給と画質調整処理とを同時に進行させることができ、効率的である。
【００２１】
また、請求項８の発明によれば、画質の低下防止と画像形成処理が完了するまでの時間の短縮とを適切に選択することが可能となる。
【図面の簡単な説明】
【００２２】
【図１】本発明の実施の形態に係る画像形成装置の構成例を示した図である。
【図２】制御部２の構成例を示した図である。
【図３】制御部２の機能的な構成の構成例を示した図である。
【図４】制御部２の動作の流れを示すフローチャートである。
【図５】画質調整処理の実施と回避による流れの差を示した図である。
【図６】実施例２における制御部の機能的な構成の構成例を示した図である。
【図７】制御部２’の動作の流れを示すフローチャートである。
【図８】画質調整処理の実施と回避による流れの差を示した図である。
【図９】実施例３における制御部の機能的な構成の構成例を示した図である。
【図１０】制御部２’’の動作の流れを示すフローチャートである。
【図１１】画像調整実施判定部２６、画像調整実施判定部２６’、画像調整実施判定部２６’’による判定処理を行うか否かの設定例を示した図である。
【発明を実施するための形態】
【００２３】
以下、本発明に係る画像形成装置、画像形成装置の制御プログラムの一実施の形態について、添付図面を参照して詳細に説明する。
【実施例１】
【００２４】
図１は、本発明の実施の形態に係る画像形成装置の構成例を示した図である。同図に示すように、画像形成装置１は、制御部２と、通信部３、表示・制御部４、画像形成部５、用紙搬送部６を有している。
【００２５】
制御部２は、画像形成装置１の全体を制御するものであるが、その詳細については後述する。
【００２６】
通信部３は、情報処理装置等の他の装置と各種データの送受信等を行なうためのもので、例えば、ネットワークとのインタフェイスとなるネットワークアダプタである。
【００２７】
表示・操作部４は、ユーザに対して各種情報を示すとともに、ユーザによる操作を受け付けるもので、例えば、タッチパネルである。
【００２８】
画像形成部５は、用紙搬送部６によって搬送された用紙に、通信部３が受信した画像データ等に基づいた画像を形成する。
【００２９】
用紙搬送部６は、画像形成部５に画像形成の対象となる用紙を、給紙元である図示しない給紙トレイから取得して搬送する。
【００３０】
この画像形成装置１は、形成する画像の質を一定に保つために、画像形成処理の開始前に画質調整のために、画像形成部５が各部のパラメータを変更する等の画像調整処理を行うとともに、画像形成処理中においても、画像形成部５の温度変化等の様々な要因によって画質が低下する可能性の場合があれば、適宜、画像調整処理を行う。
【００３１】
次に、制御部２の詳細について説明する。図２は、制御部２の構成例を示した図である。同図に示すように、制御部２は、演算部２１と、記憶部２２、一時記憶部２３、接続部２４を有している。
【００３２】
演算部２１は、演算処理を行うもので、例えば、ＣＰＵ（Central Processing Unit）等のプロセッサにより実現される。
【００３３】
記憶部２２は、プログラムや各種情報を記憶するもので、例えば、ＲＯＭ（Read Only Memory）、不揮発性メモリ（Nonvolatile Memory）、ＨＤＤ（Hard Disk Drive）により実現される。
【００３４】
一時記憶部２３は、演算部３が演算処理を行う際の作業領域等に用いられ情報等を一時的に記憶するもので、例えば、ＲＡＭ（Random Access Memory）等の揮発性のメモリによって実現される。
【００３５】
接続部２４は、図１に示した制御部１１以外の各部と接続するためのインタフェイスである。
【００３６】
続いて、制御部２の機能的な構成について説明する。図３は、制御部２の機能的な構成の構成例を示した図である。なお、同図に示す各機能部は、記憶部２２に記憶されているプログラムに基づいて演算部２１等が動作することにより実現されるものである。また、同図においては、画質調整に関する機能部以外の機能部については省略している。
【００３７】
同図に示すように、制御部２は、画質調整要求部２５と、画質調整判定部２６、画質調整指示部２７、用紙残数取得部２８を有している。
【００３８】
画質調整要求部２５は、画像形成部５から取得した温度等の情報に基づいて画質調整要求を発する。
【００３９】
画質調整実施判定部２６は、画質調整要求部２５が画質調整要求を発した際に、用紙残数取得部２８が取得した用紙残数に基づいて、当該画質調整要求に応じて画質調整処理を行うか回避するかを判定する。
【００４０】
画質調整指示部２７は、画質調整判定部２６が画質調整処理を行うと判定した際に、画像形成部５に対して画質調整処理の実行を指示する。
【００４１】
用紙残数取得部２８は、図示しない給紙トレイに収納されている用紙の残数を取得する。用紙の残数は、図示しない給紙トレイに配されたセンサの信号から取得してもよく、図示しない給紙トレイに収納された用紙の用紙数から利用した用紙数を減算することによって取得してもよい。また、用紙の残数は、図示しない給紙トレイ毎の残数であっても、図示しない給紙トレイに収納された用紙の種別（紙質や大きさ）毎の残数でもよく、結果として用紙の補給の時期が判定することができればよい。
【００４２】
次に、制御部２の動作について説明する。図４は、制御部２の動作の流れを示すフローチャートである。なお、ここでの説明では、画質調整に関する処理以外の処理については省略する。
【００４３】
画像形成装置１が画像の形成処理を開始すると、制御部２は、まず、画質調整指示部２７が画像形成部５に画質調整処理の実行を指示する（ステップ１０１）。そして、これに応じて画像形成部５が画質調整処理を実行するのを待ち（ステップ１０２でＮＯ）、画像調整処理が終了して画像形成が可能となると（ステップ１０２でＹＥＳ）、制御部２は、画像形成部５や他の各部を動作させて画像形成を開始させる（ステップ１０３）。
【００４４】
画像形成がなされている間に、画質調整要求部２５が、画像形成部５から取得した情報等により画質調整要求を発すると（ステップ１０４でＮＯ、ステップ１０５でＹＥＳ）、まず、用紙残数取得部２８が給紙可能な用紙の残数を取得し（ステップ１０６）、続いて、画質調整実施判定部２６が画質調整処理を実施するか回避するかの判定を行う。
【００４５】
画質調整実施判定部２６は、用紙残数取得部２８が取得した給紙可能な用紙の残数が予め定めた数よりも大きければ（ステップ１０７でＮＯ）、画質調整処理を実施すると判定し、画像調整指示部２７が画像形成部５に画質調整処理の実行を指示し（ステップ１０１）、以降、同様の処理を繰り返す。
【００４６】
一方、画質調整実施判定部２６は、用紙残数取得部２８が取得した給紙可能な用紙の残数が予め定めた数よりも小さければ（ステップ１０７でＹＥＳ）、画質調整処理を回避すると判定し、そのまま画像形成を継続して用紙切れとなるのを待つ（ステップ１０８でＮＯ）。そして、給紙元が用紙切れとなると（ステップ１０８でＹＥＳ）、制御部２は、表示・操作部４に用紙の補給を促す指示を表示するとともに（ステップ１０９）、画像調整指示部２７が画像形成部５に画質調整処理の実行を指示し（ステップ１０１）、以降、同様の処理を繰り返す。
【００４７】
このような処理を繰り返し、画像形成が終了すると（ステップ１０４でＹＥＳ）、制御部２は、処理を終了する。
【００４８】
このように、制御部２が、用紙切れの直前に発生した画質調整要求に応じた画質調整処理を回避することで、例えば、図５に示すように、画像形成処理に要する時間が短縮することとなる。図５（ａ）は、４９ページの画像を形成した直後に画像調整要求が発生し、これに応じて画像調整処理を行い、５０ページの画像を形成した後に用紙切れとなった場合の流れを示したものであり、図５（ｂ）は、４９ページの画像を形成した直後に画像調整要求が発生したものの、これを回避し、５０ページの画像を形成した後に用紙切れとなった際に、画質調整処理を行った場合の流れを示したものである。
【実施例２】
【００４９】
実施例２で説明する画像形成装置は、その制御部の機能的な構成が実施例１と異なるもので、他は同様の構成であるため、制御部についてのみ説明を行う。
【００５０】
図６は、実施例２における制御部の機能的な構成の構成例を示した図である。なお、同図に示す各機能部は、記憶部２２に記憶されているプログラムに基づいて演算部２１等が動作することにより実現されるものである。また、同図においては、画質調整に関する機能部以外の機能部については省略している。
【００５１】
同図に示すように、制御部２’は、画質調整要求部２５と、画質調整判定部２６’、画質調整指示部２７、形成画像残数取得部２９を有している。
【００５２】
画質調整要求部２５は、画像形成部５から取得した温度等の情報に基づいて画質調整要求を発する。
【００５３】
画質調整実施判定部２６’は、画質調整要求部２５が画質調整要求を発した際に、形成画像残数取得部２９が取得した形成画像残数に基づいて、当該画質調整要求に応じて画質調整処理を行うか回避するかを判定する。
【００５４】
画質調整指示部２７は、画質調整判定部２６’が画質調整処理を行うと判定した際に、画像形成部５に対して画質調整処理の実行を指示する。
【００５５】
形成画像残数取得部２９は、実行中の画像形成処理において、形成すべき画像の残数を特定する。
【００５６】
次に、制御部２’の動作について説明する。図７は、制御部２’の動作の流れを示すフローチャートである。なお、ここでの説明では、画質調整に関する処理以外の処理については省略する。
【００５７】
画像形成装置１が画像の形成処理を開始すると、制御部２’は、まず、画質調整指示部２７が画像形成部５に画質調整処理の実行を指示する（ステップ２０１）。そして、これに応じて画像形成部５が画質調整処理を実行するのを待ち（ステップ２０２でＮＯ）、画像調整処理が終了して画像形成が可能となると（ステップ２０２でＹＥＳ）、制御部２’は、画像形成部５や他の各部を動作させて画像形成を開始させる（ステップ２０３）。
【００５８】
画像形成がなされている間に、画質調整要求部２５が、画像形成部５から取得した情報等により画質調整要求を発すると（ステップ２０４でＮＯ、ステップ２０５でＹＥＳ）、まず、形成画像残数取得部２９が、現在実行している画像形成処理で形成すべき画像の残数と特定し（ステップ２０６）、続いて、画質調整実施判定部２６’が画質調整処理を実施するか回避するかの判定を行う。
【００５９】
画質調整実施判定部２６’は、形成画像残数取得部２９が取得した形成すべき画像の残数が予め定めた数よりも大きければ（ステップ２０７でＮＯ）、画質調整処理を実施すると判定し、画像調整指示部２７が画像形成部５に画質調整処理の実行を指示し（ステップ２０１）、以降、同様の処理を繰り返す。
【００６０】
一方、画質調整実施判定部２６’は、形成画像残数取得部２９が取得した形成すべき画像の残数が予め定めた数よりも小さければ（ステップ２０７でＹＥＳ）、画質調整処理を回避すると判定し、そのまま画像形成を継続して当該画像形成処理が終了するのを待つ（ステップ２０８でＮＯ）。そして、画像形成が終了すると（ステップ２０８でＹＥＳ）、制御部２’は、処理を終了する。
【００６１】
このような処理を繰り返し、画像形成が終了すると（ステップ２０４でＹＥＳ）、制御部２’は、処理を終了する。
【００６２】
このように、制御部２’が、画像形成処理の終了直前に発生した画質調整要求に応じた画質調整処理を回避することで、例えば、図８に示すように、画像形成処理に要する時間が短縮することとなる。図８（ａ）は、４９ページの画像を形成した直後に画像調整要求が発生し、これに応じて画像調整処理を行い、５０ページの画像を形成した後に画像形成が終了した場合の流れを示したものであり、図８（ｂ）は、４９ページの画像を形成した直後に画像調整要求が発生したものの、これを回避し、５０ページの画像を形成した後に画像形成が終了した場合の流れを示したものである。
【実施例３】
【００６３】
実施例３で説明する画像形成装置は、その制御部の機能的な構成が実施例１と異なるもので、他は同様の構成であるため、制御部についてのみ説明を行う。
【００６４】
図９は、実施例３における制御部の機能的な構成の構成例を示した図である。なお、同図に示す各機能部は、記憶部２２に記憶されているプログラムに基づいて演算部２１等が動作することにより実現されるものである。また、同図においては、画質調整に関する機能部以外の機能部については省略している。
【００６５】
同図に示すように、制御部２’’は、画質調整要求部２５と、画質調整判定部２６’’、画質調整指示部２７、用紙残数取得部２８、形成画像残数取得部２９を有している。
【００６６】
画質調整要求部２５は、画像形成部５から取得した温度等の情報に基づいて画質調整要求を発する。
【００６７】
画質調整実施判定部２６’’は、画質調整要求部２５が画質調整要求を発した際に、用紙残数取得部２８が取得した用紙残数と、形成画像残数取得部２９が取得した形成画像残数とに基づいて、当該画質調整要求に応じて画質調整処理を行うか回避するかを判定する。
【００６８】
画質調整指示部２７は、画質調整判定部２６’’が画質調整処理を行うと判定した際に、画像形成部５に対して画質調整処理の実行を指示する。
【００６９】
用紙残数取得部２８は、図示しない給紙トレイに収納されている用紙の残数を取得する。用紙の残数は、図示しない給紙トレイに配されたセンサの信号から取得してもよく、図示しない給紙トレイに収納された用紙の用紙数から利用した用紙数を減算することによって取得してもよい。また、用紙の残数は、図示しない給紙トレイ毎の残数であっても、図示しない給紙トレイに収納された用紙の種別（紙質や大きさ）毎の残数でもよく、結果として用紙の補給の時期が判定することができればよい。
【００７０】
形成画像残数取得部２９は、実行中の画像形成処理において、形成すべき画像の残数を特定する。
【００７１】
次に、制御部２’’の動作について説明する。図１０は、制御部２’’の動作の流れを示すフローチャートである。なお、ここでの説明では、画質調整に関する処理以外の処理については省略する。
【００７２】
画像形成装置１が画像の形成処理を開始すると、制御部２’’は、まず、画質調整指示部２７が画像形成部５に画質調整処理の実行を指示する（ステップ３０１）。そして、これに応じて画像形成部５が画質調整処理を実行するのを待ち（ステップ３０２でＮＯ）、画像調整処理が終了して画像形成が可能となると（ステップ３０２でＹＥＳ）、制御部２’’は、画像形成部５や他の各部を動作させて画像形成を開始させる（ステップ３０３）。
【００７３】
画像形成がなされている間に、画質調整要求部２５が、画像形成部５から取得した情報等により画質調整要求を発すると（ステップ３０４でＮＯ、ステップ３０５でＹＥＳ）、まず、用紙残数取得部２８が給紙可能な用紙の残数を取得し（ステップ３０６）、続いて、画質調整実施判定部２６’’が画質調整処理を実施するか回避するかの判定を行う。
【００７４】
画質調整実施判定部２６’’は、用紙残数取得部２８が取得した給紙可能な用紙の残数が予め定めた数よりも小さければ（ステップ３０７でＹＥＳ）、画質調整処理を回避すると判定し、そのまま画像形成を継続して用紙切れとなるのを待つ（ステップ３０８でＮＯ）。そして、給紙元が用紙切れとなると（ステップ３０８でＹＥＳ）、制御部２’’は、表示・操作部４に用紙の補給を促す指示を表示するとともに（ステップ３０９）、画像調整指示部２７が画像形成部５に画質調整処理の実行を指示し（ステップ３０１）、以降、同様の処理を繰り返す。
【００７５】
一方、画質調整実施判定部２６’’は、用紙残数取得部２８が取得した給紙可能な用紙の残数が予め定めた数よりも大きければ（ステップ３０７でＮＯ）、形成画像残数取得部２９が、現在実行している画像形成処理で形成すべき画像の残数と特定し（ステップ３１０）、続いて、画質調整実施判定部２６’’が画質調整処理を実施するか回避するかの判定を行う。
【００７６】
画質調整実施判定部２６’’は、形成画像残数取得部２９が取得した形成すべき画像の残数が予め定めた数よりも大きければ（ステップ３１１でＮＯ）、画質調整処理を実施すると判定し、画像調整指示部２７が画像形成部５に画質調整処理の実行を指示し（ステップ３０１）、以降、同様の処理を繰り返す。
【００７７】
また、画質調整実施判定部２６’’は、形成画像残数取得部２９が取得した形成すべき画像の残数が予め定めた数よりも小さければ（ステップ３１１でＹＥＳ）、画質調整処理を回避すると判定し、そのまま画像形成を継続して当該画像形成処理が終了するのを待つ（ステップ３１２でＮＯ）。そして、画像形成が終了すると（ステップ３１２でＹＥＳ）、制御部２’’は、処理を終了する。
【００７８】
このように、制御部２’’が、用紙切れの直前に発生した画質調整要求に応じた画質調整処理と画像形成処理の終了直前に発生した画質調整要求に応じた画質調整処理を回避することで、実施例１と実施例２で説明したように（図５および図８参照）、画像形成に要するが短縮することとなる。
【００７９】
なお、実施例１乃至３のそれぞれで説明した画像形成装置は、それぞれ、画像調整実施判定部２６、画像調整実施判定部２６’、画像調整実施判定部２６’’による判定処理を行うか否かを設定することができるようにしてもよい。
【００８０】
例えば、図１１に示すような設定を記憶部２３等に記憶しておき、高品質用紙に画像を形成する場合には、１色（モノクロ）での画像形成時には、判定処理を行い、４色（フルカラー）での画像形成時と５色（フルカラー＋蛍光色、金色、銀色等）での画像形成時には、判定処理を行うことなく、画像調整要求の発生時に画像調整を行うようにし、再利用紙に画像を形成する場合には、どのような色で画像形成を行う場合でも判定処理を行うようにすることもできる。
【００８１】
また、実施例１乃至３のそれぞれで説明した画像形成装置は、情報処理装置から受信した画像データに基づいて画像形成を行うものとしたが、画像読取部を設けて複写による画像形成を行う画像形成装置や、両者を実行可能な画像形成装置でも、同様の処理を行うことは可能である。
【符号の説明】
【００８２】
１    画像形成装置
２    制御部
２’    制御部
２’’    制御部
３    通信部
４    表示・操作部
５    画像形成部
６    用紙搬送部
２１    演算部
２２    一時記憶部
２３    記憶部
２４    接続部
２５    画質調整要求部
２６    画質調整実施判定部
２６’    画質調整実施判定部
２６’’    画質調整実施判定部
２７    画質調整指示部
２８    用紙残数取得部
２９    形成画像残数取得部
【図１】
2011005671.tif 000003
【図２】
2011005671.tif 000004
【図３】
2011005671.tif 000005
【図４】
2011005671.tif 000006
【図５】
2011005671.tif 000007
【図６】
2011005671.tif 000008
【図７】
2011005671.tif 000009
【図８】
2011005671.tif 000010
【図９】
2011005671.tif 000011
【図１０】
2011005671.tif 000012
【図１１】
2011005671.tif 000013